(57)【要約】【課題】壁スイッチの取付工事が不要で施工性の向上及び工期の短縮が図れるシャッターを提供する．【解決手段】建物の開口に設けられる上枠２ａ、下枠２ｂ及び左右の縦枠２ｃからなる枠体２と、その上枠２ａ上に設けられシャッターカーテン３を巻き上げ下げする電動式のシャッター本体４を収容したシャッターボックス５と、前記縦枠２ｃの前部に設けられシャッターカーテン３を開閉自在に案内するガイドレール６とを備え、前記シャッター本体４の近傍には開閉切替え用のスイッチ８が設けられ、該スイッチ８にはこれを切替え操作するための操作部材９が伝達部材１０を介して連結され、前記伝達部材１０は、前記上枠２ａを貫通して該上枠２ａの下部を室内側に向う室内側第１伝達部３８と、前記開口の内側面に沿って下方に向う室内側第２伝達部３８とを有し、該室内側第２伝達部３８の下部に操作部材９が設けられている。【選択図】          図１
2004169272.tif 000002
【特許請求の範囲】
【請求項１】
建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記伝達部材は、前記上枠を貫通して該上枠の下部を室内側に向う室内側第１伝達部と、前記開口の内側面に沿って下方に向う室内側第２伝達部とを有し、該室内側第２伝達部の下部に操作部材が設けられていることを特徴とするシャッター。
【発明の詳細な説明】
【０００１】
【発明の属する技術分野】
本発明は、シャッターに係り、特に壁スイッチの取付工事を不要にしたシャッターに関する。
【０００２】
【従来の技術】
従来のシャッターとしては、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備えた電動式のシャッターが知られている（例えば、特開平９−３１７３５２号公報参照）。この種のシャッターは、前記シャッター本体から電源ケーブルを介して引き出された開閉切替え用の壁スイッチを室内の壁に取付けるように構成されている。
【０００３】
【特許文献１】
特開平９−３１７３５２号公報
【０００４】
【発明が解決しようとする課題】
しかしながら、前記シャッターにおいては、壁スイッチを有している構造上、建物の内装工事を仕上げてからでないと壁スイッチの取付工事を行うことできず、また、壁スイッチの取付けには壁内部への電源ケーブルの挿通作業や壁に穴を開けて壁スイッチを取付ける作業等を要し、施工が大変で工期もかかるという問題があった。
【０００５】
本発明は、前記事情を考慮してなされたもので、壁スイッチの取付工事が不要で施工性の向上及び工期の短縮が図れるシャッターを提供することを目的とする。
【０００６】
【課題を解決するための手段】
本発明は、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記伝達部材は、前記上枠を貫通して該上枠の下部を室内側に向う室内側第１伝達部と、前記開口の内側面に沿って下方に向う室内側第２伝達部とを有し、該室内側第２伝達部の下部に操作部材が設けられていることを特徴とする。
【０００７】
【発明の実施の形態】
以下に、本発明の実施の形態を添付図面に基いて詳述する。図１は本発明の実施の形態を示すシャッターの縦断面図、図２は同シャターの概略的分解斜視図、図３は図１のＡ−Ａ矢視概略的断面図、図４はシャッター本体の駆動部の一例を示す斜視図、図５は伝達部材の構成を示す概略的分解斜視図、図６の（ａ）は室内側第１，第２伝達部を示す図、（ｂ）は操作部材の部分の側面図である。
【０００８】
図１，図２ないし図３において、１は電動式のシャッターで、建物の開口に設けられる上枠２ａ、下枠２ｂ及び左右の縦枠２ｃ，２ｃからなる枠体２と、その上枠２ａ上に設けられシャッターカーテン（スラットとも言う）３を巻き上げ下げ（巻上げ、巻降ろし）する電動式のシャッター本体４を収容したシャッターボックス５と、前記縦枠２ｃ、２ｃの前部に設けられシャッターカーテン３を開閉自在に案内するガイドレール６，６とを備えている。
【０００９】
図示例のシャッター１はサッシと一体に構成されており、シャッターサッシともいう。前記枠体２は、シャッター１の枠（シャッター枠）と共にサッシの枠（サッシ枠）を構成しており、図示例のサッシは欄間付のサッシからなっている。
【００１０】
前記左右の縦枠２ｃ，２ｃは、上枠２ａよりも上方に延長されており、左右の縦枠２ｃ，２ｃの上端部間にはシャッターボックス５の頂部を構成する頂部枠２ｄが掛け渡され、上枠２ａよりも下方の縦枠２ｃ，２ｃ間には欄間３６を形成するための無目２ｅが掛け渡されている。前記枠体２内における無目２ｅより下方の部分には内外の障子７ａ，７ｂが引違い状に開閉自在に設けられ、無目２ｅより上方の欄間３６には内外の障子３７ａ，３７ｂが引違い開閉自在に設けられている。
【００１１】
前記シャッター本体４の近傍には、開閉切替え用のスイッチ８が設けられ、このスイッチ８にはこれを切替え操作するための例えばダイヤル式の操作部材９が伝達部材１０を介して連結されている。伝達部材１０はシャッターボックス５内から上枠２ａを貫通して室内側に導かれる。この場合、伝達部材１０を無目２ｅに貫通させるように配線すると、無目２ｅは雨にさらされるため、伝達部材１０の貫通穴を通って雨水が室内に浸入する恐れがあること、また、施工が大変であることから、前記伝達部材１０は、前記上枠２ａを貫通して該上枠２ａの下部を室内側に向う室内側第１伝達部２５と、前記建物の開口の内側面に沿って下方に向う室内側第２伝達部３８とを有するように構成され、この室内側第２伝達部３８の下部に操作部材９が設けられている。
【００１２】
シャッター本体４は、例えば図４に示すように、電動モータを内蔵したモータチューブ１１を有し、このモータチューブ１１の一端から突出したモータ出力軸（回転軸）１２にアダプタ１３を介してシャッターカーテン３の筒状の巻取りシャフト１４が嵌合連結されている。通常動作時には、アダプタ１３が回転することにより巻取りシャフト１４が回転し、シャッターカーテン３の巻上げ、巻降ろしが行われる。前記モータチューブ１１の他端は支持枠１５に連結され、例えばこの支持枠１５に前記スイッチ８が設けられている。なお、シャッター本体４の構成はこれに限定されるものではなく、スイッチ８はシャッター本体４の近傍に設けられていれば良い。
【００１３】
図１、図３、図５ないし図６に示すように前記伝達部材１０として、本実施例では回動を正確に伝えるために第１，第２，第３の回動軸２０，２１，２２と方向転換用の第１，第２のギヤ機構部２３，２４、室内側第１伝達部２５及び室内側第２伝達部３８が用いられている。第１，第２のギヤ機構部２３，２４は方向を略９０度転換するための一対の傘歯車をＬ字状のギヤケース内に内蔵したものからなっている。なお、第１、第２のギヤ機構部２３，２４は、これに限定されるものではなく、一対のねじ歯車をＬ字状のギヤケース内に内蔵したものであっても良い。
【００１４】
室内側第１伝達部２５は、入力部２６と出力部２７の位置を室内側と室外側にずらすべく複数例えば６個の歯車２８ａ，２８ｂ，２８ｃ，２９ａ，２９ｂ，２９ｃを組合わせて断面略Ｚ字状ないし階段状のギヤケース３０内に内蔵した歯車機構からなっている。歯車２８ｃと歯車２９ａは垂直の回動軸３９を介して連結されている。前記入力部２６は縦枠２ｃのアングル部４０の近傍に位置され、前記出力部２７は上枠２ａの貫通穴３１の下面に位置されている。上枠２ａの下面には内障子用と外障子用の内外のレール３３ａ，３３ｂが設けられ、ギヤケース３０の基部側が上枠２ａの内外のレール３３ａ，３３ｂ間の下面に取付けられ、入力部２６側が内レール３３ａの下をくぐって室内側に水平に延出されている。入力部２６と出力部２７は、本実施例では共に垂直軸回りに回転するよう平行になっており、方向を９０に変更するようにはなっていない。
【００１５】
前記シャッター本体４近傍の開閉切替え用のスイッチ８にはこれを切替え操作する垂直の第１の回動軸２０の一端が連結され、この第１の回動軸２０の他端と水平の第２の回動軸２１の一端とが第１のギヤ機構部２３を介して連結されている。この第２の回動軸２１の他端が第２のギヤ機構部２４を介して垂直の第３の回動軸２２の一端に連結され、この第３の回動軸２２の他端が室内側第１伝達部２５の出力部２７に連結されている。なお、第１の回動軸２０は、ワイヤなどにすることにより、第１のギヤ機構部２３を介さずに、直接第２のギヤ機構部２４に連結されていても良い。また、回動軸２０または２１のギヤ機構部２３または２４への連結は、シャッター本体４の枠体２への取付けと同時に自動的に連結されるようになっていることが好ましい。
【００１６】
上枠２ａには第３の回動軸２２を緩く貫通させるための貫通穴３１が設けられ、この貫通穴３１を挟んで対向するように上枠２ａの上面と下面には第２のギヤ機構部２４と室内側伝達部２５がネジ３２で締結されている。前記貫通穴３１は室外側であるシャッターボックス５内と枠体２内の外障子３７ｂよりも室内側とを連通している。
【００１７】
この場合、室内側第１伝達部２５は閉鎖時の外障子３７ｂと干渉しないように基部側が断面逆Ｌ字状に形成されている。また、室内側第１伝達部２５は内障子用のストッパー（図示省略）と同じ側（図３の図示例で左側）に配置され、内障子３７ａの開移動がストッパーで規制されることにより内障子３７ａと室内側第１伝達部２５とが干渉しないようになっている。なお、上枠２ａの上面には第２の回動軸２１の中間部を回動自在に支持する支持部材３５が取付けられている。
【００１８】
前記室内側第２伝達部３８は図６にも示すように、垂直の回動軸４１と、この回動軸４１を支持すると共に覆うカバー部材（配線カバー）４２とからなっている。前記回動軸４１の上端部には、カバー部材４２の上端部から突出した断面角形の係合凸部４３が設けられ、前記室内側第１伝達部２５の入力部２６には係合凸部４３が着脱可能に係合する係合凹部４４が形成されている。ダイヤル摘み状の操作部材９は、カバー部材４２の下端側の正面に回動自在に設けられ、その裏面の回動中心部に前記回動軸４１の下端部が略９０度の方向転換用のギヤ機構部４５を介して連結されている。
【００１９】
前記室内側第２伝達部３８は、建物の開口の内側面例えば縦枠２ｃのアングル部４０または縦額縁の内側面に沿って設けられている。図示例では、アングル部４０の内側面に取付材例えば両面粘着テープまたはネジ等により取付けられている。室内側第２伝達部３８はアングル部４０に着脱可能に取付けられても良い。
【００２０】
図７の（ａ）は室内側第２伝達部の取付構造の一例を示す図、（ｂ）は室内側第２伝達部の取付構造の他の例を示す視図である。図７の（ａ）の場合は、縦枠２ｃのアングル部４０には室内側第２伝達部３８のカバー部材４２が取付金具４６を介して着脱可能に取付けられるようになっている。
【００２１】
図７の（ｂ）の場合は、室内側第１伝達部に室内側第２伝達部が着脱可能に連結されるようになっている。この場合、室内側第１伝達部材２５には、前記歯車２８ａ，２８ｂ，２８ｃの代りに回動軸３９の下端部には略９０度の方向転換用のギヤ機構部４７を介して入力部２６が設けられている。室内側第２伝達部３８の上端側一側部には断面角形の係合部４８が突設され、室内側第１伝達部２５のギヤケース３０の室内側端部には前記係合部４８が着脱可能に係合する係合受部４９が設けられている。また、室内側第２伝達部３８には回動軸４１の上端部から略９０度の方向変換用の歯車機構部（図示省略）を介して前記係合部４８の中心部を貫通して側方に突出した係合凸部４３が設けられている。前記入力部２６には係合凸部４３が着脱可能に係合する係合凹部４４が設けらている。なお、前記室内側第２伝達部はアングル部に取付材を介して取付固定しても良い。
【００２２】
以上の構成からなるシャッター１においては、シャッター１を建物の躯体に取付けたなら、モータヘッド１５から引き出されている電源ケーブル（図示省略）を建物の躯体側に導いておけば、電気工事の際に電源ケーブルを電源に接続するだけで良く、壁スイッチの工事を一切必要としない。すなわち、壁スイッチを備えていないため、内装の仕上げを待つ必要が無く、シャッター１を取付けるだけでシャッター１の取付工事が完了し、壁スイッチの工事を要しないので、施工性の向上及び工期の短縮が図れる。
【００２３】
すなわち、前記シャッター１によれば、建物の開口に設けられる上枠２ａ、下枠２ｂ及び左右の縦枠２ｃ，２ｃからなる枠体２と、その上枠２ａ上に設けられシャッターカーテン３を巻き上げ下げする電動式のシャッター本体４を収容したシャッターボックス５と、前記縦枠２ｃ，２ｃの前部に設けられシャッターカーテン３を開閉自在に案内するガイドレール６，６とを備え、前記シャッター本体４の近傍には開閉切替え用のスイッチ８が設けられ、該スイッチ８にはこれを切替え操作するための操作部材９が伝達部材１０を介して連結され、前記伝達部材１０は、前記上枠２ａを貫通して該上枠２ａの下部を室内側に向う室内側第１伝達部２５と、前記開口の内側面に沿って下方に向う室内側第２伝達部３８とを有し、該室内側第２伝達部３８の下部に操作部材９が設けられているため、室内側からシャッター本体４近傍のスイッチ８の切替え操作を容易に行うことが可能となり、従来の電動式シャッターと異なり壁スイッチを要しないので、壁スイッチの取付工事が不要となり、施工性の向上及び工期の短縮が図れる。
【００２４】
また、伝達部材１０として、第１，第２，第３の回動軸２０，２１，２２と方向転換用の第１，第２のギヤ機構部２３，２４，室内側第１伝達部２５及び室内側第２伝達部３８が用いられているため、回動操作力を正確且つ容易に伝えることができ、操作性の向上が図れる。また、特に、前記伝達部材１０は、前記上枠２ａを貫通して該上枠２ａの下部を室内側に向う室内側第１伝達部２５と、前記開口の内側面に沿って下方に向う室内側第２伝達部３８とを有しているため、仮にシャッターが欄間付サッシを有していたとしても、その欄間３６の無目２ｅに貫通穴等の加工を施すこと無く容易に配線することが可能となり、無目２ｅの貫通穴から雨水が浸入する問題を解消することができると共に施工性の向上が図れる。
【００２５】
以上、本発明の実施の形態を図面により詳述してきたが、本発明は前記実施の形態に限定されるものではなく、本発明の要旨を逸脱しない範囲での種々の設計変更等が可能である。例えば、前記実施例では、サッシ枠とシャッター枠が一体のシャッターが例示されているが、本発明のシャッターとしては、サッシ枠とシャッター枠が別体に構成されていても良い。また、サッシとして欄間付のサッシが例示されているが、欄間付でないサッシであっても良い。また、操作部材として、前記実施例ではダイヤル操作式のものが例示されているが、操作部材としてはこれに限定されるものではなく、例えば操作棒であっても良い。更に、伝達部材としては、可撓性を有し、曲線状に曲げても回動ないし回転を伝達できるワイヤ等であっても良い。
【００２６】
【発明の効果】
以上要するに本発明によれば、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記伝達部材は、前記上枠を貫通して該上枠の下部を室内側に向う室内側第１伝達部と、前記開口の内側面に沿って下方に向う室内側第２伝達部とを有し、該室内側第２伝達部の下部に操作部材が設けられているため、室内側からシャッター本体近傍のスイッチの切替え操作を容易に行うことが可能となり、従来の電動式シャッターと異なり壁スイッチを要しないので、壁スイッチの取付工事が不要となり、施工性の向上及び工期の短縮が図れる。
【図面の簡単な説明】
【図１】本発明の実施の形態を示すシャッターの縦断面図である。
【図２】同シャターの概略的分解斜視図である。
【図３】図１のＡ−Ａ矢視概略的断面図である。
【図４】シャッター本体の駆動部の一例を示す斜視図である。
【図５】伝達部材の構成を示す概略的分解斜視図である。
【図６】（ａ）は室内側第１，第２伝達部を示す図、（ｂ）は操作部材の部分の側面図である。
【図７】（ａ）は室内側第２伝達部の取付構造の一例を示す図、（ｂ）は室内側第２伝達部の取付構造の他の例を示す視図である。
【符号の説明】
１  シャッター
２  枠体
２ａ  上枠
２ｂ  下枠
２ｃ  縦枠
３  シャッターカーテン
４  シャッター本体
５  シャッターボックス
６  ガイドレール
８  スイッチ
９  操作部材
１０  伝達部材
２５  室内側第１伝達部
３９  室内側第２伝達部
【図１】
2004169272.tif 000003
【図２】
2004169272.tif 000004
【図３】
2004169272.tif 000005
【図４】
2004169272.tif 000006
【図５】
2004169272.tif 000007
【図６】
2004169272.tif 000008
【図７】
2004169272.tif 000009